(57)【要約】【課題】認証情報の再設定に対して他の設定情報を保護することが可能なゲートウェイ装置、通信システム、情報変更制御方法および情報変更制御プログラムを提供する。【解決手段】ゲートウェイ装置は、他の装置と通信するための設定情報を保持する保持部と、認証情報を用いて認証処理を行い、前記認証処理の結果に基づいて、前記保持部における前記設定情報の初期登録または前記保持部における前記設定情報の更新を許可する設定情報変更部と、前記認証処理に用いる前記認証情報を、保持されている前記設定情報を変更することなく変更する認証情報変更処理を行う認証情報変更部とを備える。【選択図】図３
2016095740.tif 000002
【特許請求の範囲】
【請求項１】
他の装置と通信するための設定情報を保持する保持部と、
認証情報を用いて認証処理を行い、前記認証処理の結果に基づいて、前記保持部における前記設定情報の初期登録または前記保持部における前記設定情報の更新を許可する設定情報変更部と、
前記認証処理に用いる前記認証情報を、保持されている前記設定情報を変更することなく変更する認証情報変更処理を行う認証情報変更部とを備える、ゲートウェイ装置。
【請求項２】
前記ゲートウェイ装置は、さらに、
ユーザの操作を受け付ける操作部を備え、
前記認証情報変更部は、前記操作部に対して所定の操作が行われた場合に前記認証情報変更処理を開始する、請求項１に記載のゲートウェイ装置。
【請求項３】
前記認証情報変更部は、前記認証情報変更処理において、仮認証情報を特定の装置へ送信し、
前記設定情報変更部は、前記仮認証情報を用いて前記認証処理を行う、請求項１または請求項２に記載のゲートウェイ装置。
【請求項４】
前記認証情報変更部は、前記認証情報変更処理において、前記特定の装置の宛先情報を他の装置から取得し、取得した前記宛先情報を用いて前記仮認証情報を送信する、請求項３に記載のゲートウェイ装置。
【請求項５】
他の装置と通信するための設定情報を保持するゲートウェイ装置と、
端末装置とを備え、
前記ゲートウェイ装置は、仮認証情報を特定の装置へ送信し、
前記端末装置は、認証情報としてユーザ操作に基づく入力情報を前記ゲートウェイ装置へ送信し、
前記ゲートウェイ装置は、前記端末装置から受信した前記入力情報が前記仮認証情報と一致する場合、前記設定情報の初期登録または更新を許可する、通信システム。
【請求項６】
前記ゲートウェイ装置は、さらに、前記特定の装置の宛先情報を他の装置から取得し、
前記ゲートウェイ装置は、取得した前記宛先情報を用いて前記仮認証情報を前記特定の装置へ送信する、請求項５に記載の通信システム。
【請求項７】
他の装置と通信するための設定情報を保持するゲートウェイ装置、および端末装置を備える通信システムにおける情報変更制御方法であって、
前記ゲートウェイ装置が、仮認証情報を特定の装置へ送信するステップと、
前記端末装置が、認証情報としてユーザ操作に基づく入力情報を前記ゲートウェイ装置へ送信するステップと、
前記ゲートウェイ装置が、前記端末装置から受信した前記入力情報が前記仮認証情報と一致する場合、前記設定情報の初期登録または更新を許可するステップとを含む、情報変更制御方法。
【請求項８】
他の装置と通信するための設定情報を保持するゲートウェイ装置において用いられる情報変更制御プログラムであって、
コンピュータに、
認証情報を用いて認証処理を行い、前記認証処理の結果に基づいて、保持されている前記設定情報の初期登録または保持されている前記設定情報の更新を許可するステップと、
前記認証処理に用いる前記認証情報を、保持されている前記設定情報を変更することなく変更する認証情報変更処理を行うステップとを実行させるための、情報変更制御プログラム。
【発明の詳細な説明】
【技術分野】
【０００１】
本発明は、ゲートウェイ装置、通信システム、情報変更制御方法および情報変更制御プログラムに関し、特に、認証情報を用いて通信するゲートウェイ装置、通信システム、情報変更制御方法および情報変更制御プログラムに関する。
【背景技術】
【０００２】
認証情報を用いて通信を行うシステムが各種開発されている。たとえば、特開２０１３−１８７８５９号公報（特許文献１）には、ＰＣ（パーソナルコンピュータ）を通信事業者のネットワークへ接続する通信端末装置が記載されている。この通信端末装置は、インターネットサービスプロバイダに接続するための設定データを不揮発性メモリに記憶しておき、インターネット接続時に、記憶している設定データ、たとえばユーザＩＤおよびパスワードをＰＣに転送する。また、通信端末装置は、セキュリティー対策として、記憶しているユーザＩＤとパスワードを消去するリセットボタンを備える。
【０００３】
また、特開平１１−２１２９２２号公報（特許文献２）には、クライアント機器が記載されている。このクライアント機器は、パスワード再設定時に認証サーバと連携して、本人自動確認及び再設定キーを得る。クライアント機器は再設定キーと暗号化されたパスワードより利用者の正当性を確認し、パスワードの再設定を行う。
【先行技術文献】
【特許文献】
【０００４】
【特許文献１】特開２０１３−１８７８５９号公報
【特許文献２】特開平１１−２１２９２２号公報
【発明の概要】
【発明が解決しようとする課題】
【０００５】
パスワード等の認証情報を用いて認証処理を行うゲートウェイ装置において、たとえば、ユーザがパスワードを忘れた場合、ゲートウェイ装置をリセットすることによりパスワードを初期のパスワードに戻す方法が考えられる。この場合、ゲートウェイ装置において、パスワード以外の設定も初期化されてしまう可能性が高い。パスワード以外の設定が初期化されてしまうと、ユーザは、パスワード以外の設定をリセット前の設定に戻すための操作を行わなければならない。
【０００６】
この発明は、上述の課題を解決するためになされたもので、その目的は、認証情報の再設定に対して他の設定情報を保護することが可能なゲートウェイ装置、通信システム、情報変更制御方法および情報変更制御プログラムを提供することである。
【課題を解決するための手段】
【０００７】
（１）上記課題を解決するために、この発明のある局面に係わるゲートウェイ装置は、他の装置と通信するための設定情報を保持する保持部と、認証情報を用いて認証処理を行い、上記認証処理の結果に基づいて、上記保持部における上記設定情報の初期登録または上記保持部における上記設定情報の更新を許可する設定情報変更部と、上記認証処理に用いる上記認証情報を、保持されている上記設定情報を変更することなく変更する認証情報変更処理を行う認証情報変更部とを備える。
【０００８】
（５）上記課題を解決するために、この発明のある局面に係わる通信システムは、他の装置と通信するための設定情報を保持するゲートウェイ装置と、端末装置とを備え、上記ゲートウェイ装置は、仮認証情報を特定の装置へ送信し、上記端末装置は、認証情報としてユーザ操作に基づく入力情報を上記ゲートウェイ装置へ送信し、上記ゲートウェイ装置は、上記端末装置から受信した上記入力情報が上記仮認証情報と一致する場合、上記設定情報の初期登録または更新を許可する。
【０００９】
（７）上記課題を解決するために、この発明のある局面に係わる情報変更制御方法は、他の装置と通信するための設定情報を保持するゲートウェイ装置、および端末装置を備える通信システムにおける情報変更制御方法であって、上記ゲートウェイ装置が、仮認証情報を特定の装置へ送信するステップと、上記端末装置が、認証情報としてユーザ操作に基づく入力情報を上記ゲートウェイ装置へ送信するステップと、上記ゲートウェイ装置が、上記端末装置から受信した上記入力情報が上記仮認証情報と一致する場合、上記設定情報の初期登録または更新を許可するステップとを含む。
【００１０】
（８）上記課題を解決するために、この発明のある局面に係わる情報変更制御プログラムは、他の装置と通信するための設定情報を保持するゲートウェイ装置において用いられる情報変更制御プログラムであって、コンピュータに、認証情報を用いて認証処理を行い、上記認証処理の結果に基づいて、保持されている上記設定情報の初期登録または保持されている上記設定情報の更新を許可するステップと、上記認証処理に用いる上記認証情報を、保持されている上記設定情報を変更することなく変更する認証情報変更処理を行うステップとを実行させるためのプログラムである。
【００１１】
本発明は、このような特徴的な処理部を備えるゲートウェイ装置、通信システム、情報変更制御方法および情報変更制御プログラムとして実現することができるだけでなく、かかる特徴的な処理をステップとするゲートウェイ装置における情報変更制御方法として実現したり、かかるステップをコンピュータに実行させるための通信システムにおけるプログラムとして実現したりすることができる。また、ゲートウェイ装置および通信システムの一部または全部を実現する半導体集積回路として実現することができる。
【発明の効果】
【００１２】
本発明によれば、認証情報の再設定に対して他の設定情報を保護することができる。
【図面の簡単な説明】
【００１３】
【図１】図１は、本発明の実施の形態に係る通信システムの構成を示す図である。
【図２】図２は、本発明の実施の形態に係る宅内端末装置の表示部において表示される画面の一例を示す図である。
【図３】図３は、本発明の実施の形態に係るゲートウェイ装置の構成を示す図である。
【図４】図４は、本発明の実施の形態に係るゲートウェイ装置における認証情報変更処理部の構成を示す図である。
【図５】図５は、本発明の実施の形態に係るゲートウェイ装置の外観を示す図である。
【図６】図６は、本発明の実施の形態に係る宅内端末装置の表示部において表示される画面の他の例を示す図である。
【図７】図７は、本発明の実施の形態に係る情報変更制御システムにおいて、通信設定情報を変更することなく認証情報の変更が行われる際のシーケンスの一例を示す図である。
【発明を実施するための形態】
【００１４】
最初に、本発明の実施形態の内容を列記して説明する。
【００１５】
（１）本発明の実施の形態に係るゲートウェイ装置は、他の装置と通信するための設定情報を保持する保持部と、認証情報を用いて認証処理を行い、上記認証処理の結果に基づいて、上記保持部における上記設定情報の初期登録または上記保持部における上記設定情報の更新を許可する設定情報変更部と、上記認証処理に用いる上記認証情報を、保持されている上記設定情報を変更することなく変更する認証情報変更処理を行う認証情報変更部とを備える。
【００１６】
このような構成により、設定情報を変更せずに認証情報を既知の内容に変更することができるので、設定情報を保護しながら認証情報を変更することができる。これにより、ユーザは、認証情報を忘れた場合においてもリセット処理等を行うことなく、変更した既知の認証情報を用いて認証処理を成功させることができる。
【００１７】
（２）好ましくは、上記ゲートウェイ装置は、さらに、ユーザの操作を受け付ける操作部を備え、上記認証情報変更部は、上記操作部に対して所定の操作が行われた場合に上記認証情報変更処理を開始する。
【００１８】
このような構成により、認証情報変更処理を開始させることが可能なユーザをゲートウェイ装置の近傍に存在するユーザに限定することができる。したがって、たとえば、ゲートウェイ装置が宅内に設置されている場合、認証情報変更処理を開始させることが可能なユーザを宅内に存在するユーザに限定することができるので、宅外のユーザによる認証情報変更処理の開始を防止することができる。これにより、ゲートウェイ装置のセキュリティーを向上させることができる。
【００１９】
（３）好ましくは、上記認証情報変更部は、上記認証情報変更処理において、仮認証情報を特定の装置へ送信し、上記設定情報変更部は、上記仮認証情報を用いて上記認証処理を行う。
【００２０】
このような構成により、仮認証情報を取得可能なユーザを、特定の装置から仮認証情報を取得することが可能な特定のユーザに限定することができるので、当該特定のユーザ以外のユーザが認証処理を成功させることを防止することができる。これにより、ゲートウェイ装置のセキュリティーを向上させることができる。
【００２１】
（４）より好ましくは、上記認証情報変更部は、上記認証情報変更処理において、上記特定の装置の宛先情報を他の装置から取得し、取得した上記宛先情報を用いて上記仮認証情報を送信する。
【００２２】
このような構成により、取得した宛先情報に基づいて、宛先情報を有する特定の装置へ仮認証情報を確実に送信することができる。また、たとえば、端末装置を用いるユーザが宛先情報を設定し、設定した宛先情報を端末装置からゲートウェイ装置へ送信可能な場合、当該ユーザにおいて仮認証情報の送信先を主導的に設定することができる。
【００２３】
（５）本発明の実施の形態に係る通信システムは、他の装置と通信するための設定情報を保持するゲートウェイ装置と、端末装置とを備え、上記ゲートウェイ装置は、仮認証情報を特定の装置へ送信し、上記端末装置は、認証情報としてユーザ操作に基づく入力情報を上記ゲートウェイ装置へ送信し、上記ゲートウェイ装置は、上記端末装置から受信した上記入力情報が上記仮認証情報と一致する場合、上記設定情報の初期登録または更新を許可する。
【００２４】
このような構成により、仮認証情報を特定の装置から取得したユーザは、取得した仮認証情報を用いて設定情報の初期登録または更新の許可を受けることができるので、仮認証情報への変更に対して設定情報を保護することができる。
【００２５】
また、仮認証情報を取得可能なユーザを、特定の装置から仮認証情報を取得することが可能な特定のユーザに限定することができるので、当該特定のユーザ以外のユーザが認証処理を成功させることを防止することができる。これにより、ゲートウェイ装置のセキュリティーを向上させることができる。
【００２６】
（６）好ましくは、上記ゲートウェイ装置は、さらに、上記特定の装置の宛先情報を他の装置から取得し、上記ゲートウェイ装置は、取得した上記宛先情報を用いて上記仮認証情報を上記特定の装置へ送信する。
【００２７】
このような構成により、取得した宛先情報に基づいて、宛先情報を有する特定の装置へ仮認証情報を確実に送信することができる。また、たとえば、端末装置を用いるユーザが宛先情報を設定し、設定した宛先情報を端末装置からゲートウェイ装置へ送信可能な場合、当該ユーザにおいて仮認証情報の送信先を主導的に設定することができる。
【００２８】
（７）本発明の実施の形態に係る情報変更制御方法は、他の装置と通信するための設定情報を保持するゲートウェイ装置、および端末装置を備える通信システムにおける情報変更制御方法であって、上記ゲートウェイ装置が、仮認証情報を特定の装置へ送信するステップと、上記端末装置が、認証情報としてユーザ操作に基づく入力情報を上記ゲートウェイ装置へ送信するステップと、上記ゲートウェイ装置が、上記端末装置から受信した上記入力情報が上記仮認証情報と一致する場合、上記設定情報の初期登録または更新を許可するステップとを含む。
【００２９】
このような構成により、仮認証情報を特定の装置から取得可能なユーザは、取得した仮認証情報を用いて設定情報の初期登録または更新の許可を受けることができるので、仮認証情報への変更に対して設定情報を保護することができる。
【００３０】
また、仮認証情報を取得可能なユーザを、特定の装置から仮認証情報を取得することが可能な特定のユーザに限定することができるので、当該特定のユーザ以外のユーザが認証処理を成功させることを防止することができる。これにより、ゲートウェイ装置のセキュリティーを向上させることができる。
【００３１】
（８）本発明の実施の形態に係る情報変更制御プログラムは、他の装置と通信するための設定情報を保持するゲートウェイ装置において用いられる情報変更制御プログラムであって、コンピュータに、認証情報を用いて認証処理を行い、上記認証処理の結果に基づいて、保持されている上記設定情報の初期登録または保持されている上記設定情報の更新を許可するステップと、上記認証処理に用いる上記認証情報を、保持されている上記設定情報を変更することなく変更する認証情報変更処理を行うステップとを実行させるためのプログラムである。
【００３２】
このような構成により、設定情報を変更せずに認証情報を既知の内容に変更することができるので、設定情報を保護しながら認証情報を変更することができる。これにより、ユーザは、認証情報を忘れた場合においてもリセット処理等を行うことなく、変更した既知の認証情報を用いて認証処理を成功させることができる。
【００３３】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３４】
［通信システムの構成］
図１は、本発明の実施の形態に係る通信システムの構成を示す図である。
【００３５】
図１を参照して、通信システム２０１は、情報変更制御システム１５１と、宅外端末装置２２と、宅内装置３３Ａ，３３Ｂ，３３Ｃとを備える。情報変更制御システム１５１は、宅内端末装置３２と、ゲートウェイ装置１０１とを含む。宅内端末装置３２は、表示部３２Ａと、操作部３２Ｂとを含む。
【００３６】
以下、宅内装置３３Ａ，３３Ｂ，３３Ｃの各々を、宅内装置３３とも称する。図１では、３つの宅内装置３３を代表的に示しているが、さらに多数または少数の宅内装置３３が設けられてもよい。
【００３７】
ゲートウェイ装置１０１、宅内端末装置３２および宅内装置３３は、家庭およびオフィス等の宅内に設置される。ゲートウェイ装置１０１は、ＬＡＮ（Ｌｏｃａｌ  Ａｒｅａ  Ｎｅｔｗｏｒｋ）等の宅内ネットワーク３１を介して宅内端末装置３２および宅内装置３３と有線または無線により通信接続される。なお、ゲートウェイ装置１０１は、宅内端末装置３２および宅内装置３３の少なくともいずれか１つと宅内ネットワーク３１を介さずに直接通信接続されてもよい。
【００３８】
宅外端末装置２２は、たとえば、スマートフォンまたはＰＣ（Ｐｅｒｓｏｎａｌ  Ｃｏｍｐｕｔｅｒ）であり、インターネット等の外部ネットワーク２１を介してゲートウェイ装置１０１と有線または無線により通信接続される。なお、宅外端末装置２２は、外部ネットワーク２１を介さずにゲートウェイ装置１０１と直接通信接続されてもよい。なお、図１では、１つの宅外端末装置２２を代表的に示しているが、複数の宅外端末装置２２が設けられてもよい。
【００３９】
ゲートウェイ装置１０１は、たとえば、プロトコルの異なる外部ネットワーク２１および宅内ネットワーク３１を通信接続する。なお、外部ネットワーク２１および宅内ネットワーク３１において同じプロトコルが用いられてもよい。
【００４０】
ゲートウェイ装置１０１は、外部ネットワーク２１に接続された宅外端末装置２２と宅内ネットワーク３１に接続された宅内装置３３との間でやり取りされる情報を中継する中継処理を行う。
【００４１】
より詳細には、ゲートウェイ装置１０１は、他の装置、具体的には、宅外端末装置２２および宅内装置３３と通信するための通信設定情報を保持しており、保持している通信設定情報に基づいて、宅内装置３３から受信した情報を宅外端末装置２２へ送信し、また、宅外端末装置２２から受信した情報を宅内装置３３へ送信する。
【００４２】
宅内装置３３Ａは、たとえばセンサであり、ドアおよび窓の鍵の施錠状態の検知ならびにレンジの温度の測定等を行うことが可能である。宅内装置３３Ｂは、たとえば駆動装置であり、ドアおよび窓の鍵の施錠ならびにレンジの消火等を行うことが可能である。
【００４３】
宅内装置３３Ａは、たとえば、ドアおよび窓の鍵の施錠状態の検知結果ならびにレンジの温度の測定結果を示すセンサ情報をゲートウェイ装置１０１経由で宅外端末装置２２へ送信する。
【００４４】
宅外端末装置２２は、たとえば、宅内装置３３Ａからセンサ情報を受信すると、受信したセンサ情報の内容をディスプレイに表示する。
【００４５】
これにより、宅外端末装置２２のユーザは、ディスプレイの表示に基づいて、たとえば外出先においてもドアおよび窓の鍵の施錠状態ならびにレンジの温度を認識することができる。具体的には、たとえば、宅外端末装置２２のユーザは、ドアの鍵を閉め忘れて外出してしまった場合、ディスプレイの表示に基づいて、ドアの鍵が未施錠の状態であることに気づくことができる。
【００４６】
宅外端末装置２２のユーザは、未施錠の状態を認識すると、たとえば宅内装置３３Ｂにドアの鍵を施錠させるための操作を宅外端末装置２２に対して行う。宅外端末装置２２は、ユーザの操作に基づいて、ドアの鍵の施錠を示す命令情報をゲートウェイ装置１０１経由で宅内装置３３Ｂへ送信する。
【００４７】
宅内装置３３Ｂは、宅外端末装置２２から命令情報を受信すると、受信した命令情報に従ってドアの鍵を施錠する。
【００４８】
なお、ゲートウェイ装置１０１は、宅外端末装置２２と宅内装置３３との間でやり取りされる情報を中継する構成に限らず、宅内装置３３から受信した情報を処理し、処理結果を宅内装置３３または宅外端末装置２２へ送信する構成であってもよい。
【００４９】
図２は、本発明の実施の形態に係る宅内端末装置の表示部において表示される画面の一例を示す図である。
【００５０】
宅内端末装置３２は、たとえば、スマートフォンまたはＰＣであり、ウェブブラウザ３４のプログラムを実行させることが可能である。
【００５１】
宅内端末装置３２における表示部３２Ａは、たとえばディスプレイであり、図２に示すようにウェブブラウザ３４を表示することが可能である。
【００５２】
操作部３２Ｂは、たとえば、キーボードおよびマウス、または表示部３２Ａすなわちディスプレイの画面部分に組合せて設けられるタッチパネルであり、宅内端末装置３２のユーザ（以下、宅内ユーザとも称する。）の操作を受け付ける。
【００５３】
宅内ユーザは、たとえば、操作部３２Ｂを操作して、表示部３２Ａに表示されたウェブブラウザ３４のアドレス入力領域３４Ａに任意のＵＲＬ（Ｕｎｉｆｏｒｍ  Ｒｅｓｏｕｒｃｅ  Ｌｏｃａｔｏｒ）を入力する。たとえば、宅内端末装置３２は、宅内ユーザの入力に基づいて、ウェブブラウザ３４に表示するためのウェブ情報の要求を、上記ＵＲＬが示すウェブ情報を管理する装置に送信する。
【００５４】
ゲートウェイ装置１０１は、たとえば、サーバとして機能する。たとえば、ゲートウェイ装置１０１が、上記ＵＲＬが示すウェブ情報を管理する装置である場合、ゲートウェイ装置１０１は、宅内端末装置３２からの要求に応じて、上記ＵＲＬが示すウェブ情報を宅内端末装置３２へ送信する。
【００５５】
宅内端末装置３２は、ゲートウェイ装置１０１から送信されるウェブ情報に基づくウェブページをページ領域３４Ｂに表示する。これにより、宅内ユーザは、ページ領域３４Ｂに表示されるウェブページに基づいて、自己が入力したＵＲＬが示すウェブ情報の内容を視認することができる。
【００５６】
［課題］
たとえば、宅内ユーザは、宅内端末装置３２を介してゲートウェイ装置１０１が保持する通信設定情報の初期登録および更新を行うことが可能である。ゲートウェイ装置１０１は、自己の通信設定情報の宅内端末装置３２による初期登録および更新を許可する前に、たとえば宅内ユーザの正当性を確認するために認証処理を行う。
【００５７】
たとえば、宅内ユーザが自己のＩＤおよび当該ＩＤに対応するパスワードを宅内端末装置３２に入力し、宅内端末装置３２が宅内ユーザにより入力されたＩＤおよびパスワードをゲートウェイ装置１０１に送信すると、ゲートウェイ装置１０１において認証処理が成功する。そして、ゲートウェイ装置１０１は、認証処理の成功を受けて自己の通信設定情報の宅内端末装置３２による初期登録および更新を許可する。
【００５８】
しかしながら、たとえば、宅内ユーザが正しいパスワードを覚えていない場合、ゲートウェイ装置１０１における認証処理を成功させることができない。この場合、ゲートウェイ装置１０１では、通信設定情報の宅内端末装置３２による初期登録および更新が許可されない。したがって、宅内ユーザは、ゲートウェイ装置１０１が保持する通信設定情報の初期登録および更新を行うことができない。
【００５９】
たとえば、ＩＤおよび対応のパスワードならびに通信設定情報のリセットが可能なゲートウェイ装置では、リセットによる初期化を行うことでＩＤおよび対応のパスワードならびに通信設定情報を初期値に戻すことができる。ＩＤの初期値およびパスワードの初期値は、たとえばゲートウェイ装置のマニュアルに記載されている。
【００６０】
したがって、宅内ユーザは、ゲートウェイ装置のリセットを行った後、マニュアルを参照し、ＩＤの初期値およびパスワードの初期値を用いて認証処理を成功させ、宅内端末装置３２を介してゲートウェイ装置が保持する通信設定情報の初期登録および更新を行うことができる。
【００６１】
しかしながら、ゲートウェイ装置のリセットにより通信設定情報も初期値に戻されてしまうため、宅内ユーザは、初期値に戻される前の通信設定情報を入力する必要がある。たとえば、通信設定情報において宅内装置３３ごとにアドレス等の入力が必要な場合、通信システム２０１における宅内装置３３の台数が多いと、宅内ユーザによる入力の負担が重くなってしまい好ましくない。
【００６２】
そこで、本発明の実施の形態に係る通信システム２０１およびゲートウェイ装置１０１では、以下のような構成および動作により、このような課題を解決する。
【００６３】
［ゲートウェイ装置の構成］
図３は、本発明の実施の形態に係るゲートウェイ装置の構成を示す図である。図４は、本発明の実施の形態に係るゲートウェイ装置における認証情報変更処理部の構成を示す図である。図５は、本発明の実施の形態に係るゲートウェイ装置の外観を示す図である。
【００６４】
図３を参照して、ゲートウェイ装置１０１は、通信部４１と、通信制御部４２と、設定情報変更部４３と、認証情報変更処理部４８と、記憶部４９と、ＡＣアダプタ差し込み口（操作部）５７とを備える。設定情報変更部４３は、認証部４４と、許可部４５と、書き込み部４６とを含む。記憶部４９は、通信設定情報保持部５０と、ウェブ情報保持部５１と、認証情報保持部５２と、メールアドレス保持部５３とを含む。
【００６５】
図４を参照して、認証情報変更処理部４８は、認証情報変更部６１と、ランプ６２と、ＩＮＩＴボタン（操作部）６３と、タイマー６４とを含む。
【００６６】
図３〜図５を参照して、ゲートウェイ装置１０１における記憶部４９は、たとえばフラッシュメモリおよびＨＤＤ（Ｈａｒｄ  Ｄｉｓｋ  Ｄｒｉｖｅ）等の記憶装置である。
【００６７】
記憶部４９における認証情報保持部５２は、たとえば宅内ユーザのＩＤおよび当該ＩＤに対応する照合用パスワードを保持する。通信設定情報保持部５０は、通信設定情報を保持することが可能である。
【００６８】
ウェブ情報保持部５１は、たとえばログインウェブ情報、編集用ウェブ情報およびログイン失敗ウェブ情報をデフォルトで保持する。
【００６９】
ここで、ログインウェブ情報は、たとえば、図２に示す、通信設定情報および照合用パスワードを変更しようとする宅内ユーザのログインページを表示するためのウェブ情報である。編集用ウェブ情報は、たとえば、ログインに成功したことを示し、かつ通信設定情報の新規登録または更新、および照合用パスワードの変更を行うための編集ページを表示するためのウェブ情報である。ログイン失敗ウェブ情報は、たとえばログインに失敗したことを示すページを表示するためのウェブ情報である。
【００７０】
また、ログインウェブ情報のＵＲＬは、たとえば、「ｈｔｔｐ：／／ｘｘｘｘ／」（以下、ログインＵＲＬとも称する。）である。
【００７１】
通信部４１は、たとえば、外部ネットワークポート５４および外部ネットワーク２１を介して宅外端末装置２２と情報のやり取りを行う。また、通信部４１は、たとえば、宅内ネットワークポート５５および宅内ネットワーク３１を介して宅内装置３３および宅内端末装置３２と情報のやり取りを行う。
【００７２】
通信制御部４２は、たとえば通信部４１を介して宅内端末装置３２とやり取りする情報を処理する。また、通信制御部４２は、たとえば、通信設定情報保持部５０における通信設定情報に基づいて、外部ネットワーク２１に接続された宅外端末装置２２と宅内ネットワーク３１に接続された宅内装置３３との間でやり取りされる情報を中継する中継処理を行う。
【００７３】
ＡＣアダプタ７２は、コンセント７１に接続される第１端７２Ａと、ゲートウェイ装置１０１におけるＡＣアダプタ差し込み口５７に接続される第２端７２Ｂとを有する。ＡＣアダプタ７２は、たとえば、コンセント７１から供給される交流電力を直流電力に変換し、変換後の直流電力をゲートウェイ装置１０１へ出力する。
【００７４】
ゲートウェイ装置１０１における各ユニットは、ＡＣアダプタ差し込み口５７経由でＡＣアダプタ７２から受ける直流電力を用いて動作する。
【００７５】
［設定変更］
宅内端末装置３２は、たとえば、ゲートウェイ装置１０１が保持する通信設定情報の初期登録および更新ならびに照合用パスワードの変更を行うことが可能である。
【００７６】
より詳細には、宅内ユーザは、初期状態のゲートウェイ装置１０１に通信設定情報を初期登録しようとする場合、ゲートウェイ装置１０１における通信設定情報を更新しようとする場合、またはゲートウェイ装置１０１における照合用パスワードを変更しようとする場合、たとえば、図２に示すようにアドレス入力領域３４ＡにログインＵＲＬを入力する。
【００７７】
宅内端末装置３２は、入力されたログインＵＲＬに基づいて、対応のウェブ情報すなわちログインウェブ情報を要求する旨のログインウェブ情報要求をゲートウェイ装置１０１に送信する。
【００７８】
ゲートウェイ装置１０１における通信制御部４２は、通信部４１経由で宅内端末装置３２からログインウェブ情報要求を受信すると、ウェブ情報保持部５１からログインウェブ情報を取得し、取得したログインウェブ情報を通信部４１経由で宅内端末装置３２へ送信する。
【００７９】
宅内端末装置３２は、ゲートウェイ装置１０１からログインウェブ情報を受信すると、受信したログインウェブ情報に基づいて、図２に示すログインページをページ領域３４Ｂに表示する。
【００８０】
宅内ユーザは、たとえば、図２に示すログインページの表示に基づいて、操作部３２Ｂを操作して、自己のＩＤおよびパスワードをユーザＩＤ入力領域３４Ｃおよびパスワード入力領域３４Ｄにそれぞれ入力した後、ログインボタン３４Ｅを押す。
【００８１】
宅内端末装置３２は、認証情報としてユーザ操作に基づく入力情報をゲートウェイ装置１０１へ送信する。具体的には、宅内端末装置３２は、たとえば、ユーザの操作に基づいて、認証情報としてのパスワード（以下、入力パスワードとも称する。）をゲートウェイ装置１０１へ送信する。この際、宅内端末装置３２は、たとえば、ユーザの操作に基づいて入力されたＩＤ（以下、入力ＩＤとも称する。）、および編集用ウェブ情報を要求する旨の編集用ウェブ情報要求をゲートウェイ装置１０１へ送信する。
【００８２】
ゲートウェイ装置１０１における通信制御部４２は、たとえば、通信部４１経由で宅内端末装置３２から入力ＩＤおよび入力パスワードならびに編集用ウェブ情報要求を受信すると、受信した入力ＩＤおよび入力パスワードを設定情報変更部４３へ出力する。
【００８３】
設定情報変更部４３は、認証情報を用いて認証処理を行い、当該認証処理の結果に基づいて、通信設定情報保持部５０における通信設定情報の初期登録または通信設定情報の更新、および照合用パスワードの変更を許可する。
【００８４】
具体的には、設定情報変更部４３における認証部４４は、たとえば、通信制御部４２から入力ＩＤおよび入力パスワードを受けると、以下の処理を行う。
【００８５】
すなわち、認証部４４は、たとえば、入力ＩＤに基づいて、記憶部４９における認証情報保持部５２から、当該入力ＩＤに対応する照合用パスワードを取得する。
【００８６】
そして、認証部４４は、たとえば、取得した照合用パスワードを認証情報として用いて認証処理を行う。具体的には、認証部４４は、たとえば、照合用パスワードと入力パスワードとを照合し、照合結果が一致を示す場合、認証に成功したと判断して認証成功を許可部４５へ通知し、また、照合結果が一致を示さない場合、認証に失敗したと判断して認証失敗を許可部４５へ通知する。なお、認証部４４は、たとえば、ＩＤおよび当該ＩＤに対応する照合用パスワードの組を認証情報として用いて認証処理を行ってもよい。
【００８７】
許可部４５は、たとえば、認証部４４から認証成功の通知を受けると、通信設定情報の初期登録および更新ならびに照合用パスワードの変更を許可し、許可情報を通信制御部４２へ出力する。また、許可部４５は、たとえば、認証部４４から認証失敗の通知を受けると、通信設定情報の初期登録および更新ならびに照合用パスワードの変更を許可せず、不許可情報を通信制御部４２へ出力する。
【００８８】
通信制御部４２は、たとえば、許可部４５から許可情報を受けると、編集用ウェブ情報要求に応じてウェブ情報保持部５１から編集用ウェブ情報を取得し、取得した編集用ウェブ情報を通信部４１経由で宅内端末装置３２へ送信する。
【００８９】
宅内端末装置３２は、ゲートウェイ装置１０１から編集用ウェブ情報を受信すると、受信した編集用ウェブ情報に基づいてページ領域３４Ｂに編集ページを表示する。これにより、宅内ユーザは、通信設定情報の初期登録または更新および照合用パスワードの変更を行うことが可能となる。
【００９０】
宅内ユーザは、操作部３２Ｂを操作して、初期登録もしくは更新しようとする通信設定情報、または新規照合用パスワードを入力する。宅内端末装置３２は、ユーザの操作に基づいて、通信設定情報の初期登録内容もしくは更新内容、または新規照合用パスワードをゲートウェイ装置１０１へ送信する。
【００９１】
ゲートウェイ装置１０１における通信制御部４２は、通信設定情報を取得する。具体的には、通信制御部４２は、たとえば、通信部４１経由で宅内端末装置３２から通信設定情報すなわち初期登録内容もしくは更新内容、または新規照合用パスワードを受信する。
【００９２】
通信制御部４２は、たとえば、受信した初期登録内容もしくは更新内容、または新規照合用パスワードを設定情報変更部４３における書き込み部４６へ出力する。
【００９３】
書き込み部４６は、通信制御部４２から初期登録内容を受けると、受けた初期登録内容に基づいて、初期登録対象の通信設定情報を通信設定情報保持部５０に書き込んで保存する。また、書き込み部４６は、たとえば、通信制御部４２から更新内容を受けると、受けた更新内容に基づいて、通信設定情報保持部５０における通信設定情報を更新する。また、書き込み部４６は、たとえば、通信制御部４２から新規照合用パスワードを受けると、認証情報保持部５２における対応の照合用パスワードを新規照合用パスワードに変更する。
【００９４】
一方、通信制御部４２は、たとえば、許可部４５から不許可情報を受けると、編集用ウェブ情報要求に応じてウェブ情報保持部５１から編集用ウェブ情報を取得する代わりにログイン失敗ウェブ情報を取得し、取得したログイン失敗ウェブ情報を通信部４１経由で宅内端末装置３２へ送信する。
【００９５】
宅内端末装置３２は、ゲートウェイ装置１０１からログイン失敗ウェブ情報を受信すると、受信したログイン失敗ウェブ情報に基づいて、ログインに失敗したことを示すページをページ領域３４Ｂに表示する。これにより、宅内ユーザは、ログインに失敗したことを認識する。
【００９６】
［認証情報変更処理］
たとえば、宅内ユーザは、自己のＩＤに対応する正しいパスワードを覚えていない場合、ゲートウェイ装置１０１における通信設定情報を変更することなく照合用パスワードを変更することが可能である。
【００９７】
より詳細には、ゲートウェイ装置１０１における認証情報変更処理部４８は、認証処理に用いる認証情報すなわち照合用パスワードを、通信設定情報保持部５０において保持されている通信設定情報を変更することなく変更する認証情報変更処理を行う。
【００９８】
たとえば、認証情報変更処理部４８は、ユーザの操作を受け付け可能なＩＮＩＴボタン６３に対して所定の操作が行われた場合に認証情報変更処理を開始する。ＩＮＩＴボタン６３は、たとえばゲートウェイ装置１０１に初期化を実行させるためのボタンである。なお、認証情報変更処理部４８は、ＩＮＩＴボタン６３以外のボタンに対して所定の操作が行われた場合に認証情報変更処理を開始してもよい。
【００９９】
具体的には、認証情報変更処理部４８は、たとえば、ＩＮＩＴボタン６３が宅内ユーザにより所定時間Ｔｂ継続して押された場合に認証情報変更処理を開始する。
【０１００】
より詳細には、認証情報変更処理部４８における認証情報変更部６１は、たとえば、ＩＮＩＴボタン６３の状態を監視する。認証情報変更部６１は、たとえば、ＩＮＩＴボタン６３が押されると、所定時間Ｔｂ後に満了するようにタイマー６４をセットする。
【０１０１】
認証情報変更部６１は、たとえば、タイマー６４が満了するまでＩＮＩＴボタン６３が継続して押されている場合、ゲートウェイ装置１０１の動作モードを通常モードからパスワード生成モードに変更する。
【０１０２】
認証情報変更部６１は、たとえば、動作モードをパスワード生成モードに変更すると、所定時間Ｔｐ後に満了するようにタイマー６４をセットする。そして、認証情報変更部６１は、たとえば、動作モードをパスワード生成モードに変更してから通常モードに戻すまでの期間（以下、パスワード生成期間とも称する。）、認証情報変更処理を行う。
【０１０３】
具体的には、認証情報変更部６１は、たとえば、パスワード生成期間において、ランプ６２を点滅させる。
【０１０４】
図６は、本発明の実施の形態に係る宅内端末装置の表示部において表示される画面の他の例を示す図である。
【０１０５】
図６を参照して、認証情報変更部６１は、たとえば、パスワード送信ウェブ情報を保持しており、パスワード生成期間において、宅内ユーザがパスワード送信ウェブ情報にアクセス可能となるようにウェブ情報保持部５１にパスワード送信ウェブ情報の一時的な保存を行う。なお、認証情報変更部６１は、たとえば、パスワード送信ウェブ情報をウェブ情報保持部５１にデフォルトで保存しておき、パスワード生成期間において、パスワード送信ウェブ情報へのアクセス許可を宅内ユーザに与える制御を行ってもよい。
【０１０６】
ここで、パスワード送信ウェブ情報は、たとえば、図６に示すパスワード送信ページを表示するためのウェブ情報である。また、パスワード送信ウェブ情報のＵＲＬは、たとえば、「ｈｔｔｐ：／／ｘｘｘｘ／ｙｙｙ」（以下、パスワード送信ＵＲＬとも称する。）である。パスワード送信ＵＲＬは、たとえば、ゲートウェイ装置１０１のマニュアルに記載されている。なお、ゲートウェイ装置１０１では、たとえば、パスワード送信ＵＲＬがゲートウェイ装置１０１の図示しない表示部に表示される構成であってもよい。
【０１０７】
たとえば、宅内ユーザは、ゲートウェイ装置１０１におけるランプ６２が点滅していることを確認すると、ゲートウェイ装置１０１がパスワード生成モードに遷移したと認識し、上記マニュアルを参照してウェブブラウザ３４におけるアドレス入力領域３４Ａにパスワード送信ＵＲＬを入力する。
【０１０８】
宅内端末装置３２は、入力されたパスワード送信ＵＲＬに基づいて、ゲートウェイ装置１０１に対応のウェブ情報すなわちパスワード送信ウェブ情報を要求する旨のパスワード送信ウェブ情報要求を送信する。
【０１０９】
ゲートウェイ装置１０１における通信制御部４２は、通信部４１経由で宅内端末装置３２からパスワード送信ウェブ情報要求を受信すると、ウェブ情報保持部５１からパスワード送信ウェブ情報を取得し、取得したパスワード送信ウェブ情報を通信部４１経由で宅内端末装置３２へ送信する。
【０１１０】
宅内端末装置３２は、ゲートウェイ装置１０１からパスワード送信ウェブ情報を受信すると、受信したパスワード送信ウェブ情報に基づいて、図６に示すパスワード送信ページをページ領域３４Ｂに表示する。
【０１１１】
なお、通信制御部４２は、たとえば、パスワード送信ウェブ情報とともに、予め宅内ユーザが登録したメールアドレスである登録メールアドレスを宅内端末装置３２へ送信してもよい。この登録メールアドレスは、たとえば、宅内ユーザが受け取り可能なメールアドレスであり、メールアドレス保持部５３に保持されている。この場合、宅内端末装置３２は、たとえば、図６に示すパスワード送信ページにおけるメールアドレス入力領域３４Ｆにゲートウェイ装置１０１から受信した登録メールアドレスを表示する。この登録メールアドレスは、編集可能であってもよいし、編集不可能であってもよい。
【０１１２】
宅内ユーザは、たとえば、図６に示すパスワード送信ページの表示に基づいて、操作部３２Ｂを操作して、自己が受け取り可能なメールアドレスをメールアドレス入力領域３４Ｆに入力した後、パスワード送信ボタン３４Ｇを押す。
【０１１３】
宅内端末装置３２は、宅内ユーザの操作に基づいて、入力されたメールアドレス（以下、入力メールアドレスとも称する。）をゲートウェイ装置１０１へ送信する。
【０１１４】
ゲートウェイ装置１０１における通信制御部４２は、通信部４１経由で宅内端末装置３２から入力メールアドレスを受信すると、受信した入力メールアドレスを認証情報変更部６１へ出力する。
【０１１５】
認証情報変更部６１は、たとえば、認証情報変更処理において、特定の装置の宛先情報を他の装置、具体的には宅内端末装置３２から取得し、取得した宛先情報を用いて仮認証情報を当該特定の装置へ送信する。
【０１１６】
より詳細には、認証情報変更部６１は、たとえば、特定の装置の宛先情報として入力メールアドレスを通信制御部４２から受ける。ここで、特定の装置は、たとえば入力メールアドレスを有するメールサーバである。
【０１１７】
なお、ゲートウェイ装置１０１では、認証情報変更部６１が特定の装置の宛先情報を宅内端末装置３２から受信するすなわち取得する構成であるとしたが、これに限定するものではない。ゲートウェイ装置１０１は、たとえば、宅内ユーザからの直接的な入力を受け付ける受け付け部を含み、特定の装置の宛先情報を当該受け付け部経由で取得する構成であってもよい。
【０１１８】
そして、認証情報変更部６１は、たとえば、仮認証情報として仮照合用パスワードをランダムに生成し、生成した仮照合用パスワードを、対応の照合用パスワードに代えて認証情報保持部５２に保存する。なお、認証情報変更部６１は、たとえば、生成した仮照合用パスワードを、対応の照合用パスワードを残したまま認証情報保持部５２に保存してもよい。また、認証情報変更部６１は、たとえば、仮認証情報としてデフォルトの情報を用いてもよい。
【０１１９】
認証情報変更部６１は、たとえば、生成した仮照合用パスワードを含み、かつ宛先が入力メールアドレスであるメール（以下、通知メールとも称する。）を作成し、作成した通知メールを通信制御部４２へ出力するともに、動作モードをパスワード生成モードから通常モードに戻す。動作モードがパスワード生成モードから通常モードに戻るタイミングで、パスワード生成期間が終了する。
【０１２０】
なお、認証情報変更部６１は、たとえば、通知メールを通信制御部４２へ出力する際に、入力メールアドレスをメールアドレス保持部５３に保存してもよい。メールアドレス保持部５３に保存された入力メールアドレスは、仮照合用パスワードの送信履歴として用いることができる。この送信履歴に基づいて、仮照合用パスワードを受け取ったユーザを特定することができるので、ゲートウェイ装置１０１のセキュリティーをソフトウェア面から向上させることができる。
【０１２１】
また、認証情報変更部６１は、たとえば、通知メールを通信制御部４２経由で送信する前にタイマー６４が満了すると、動作モードをパスワード生成モードから通常モードに戻す。
【０１２２】
通信制御部４２は、たとえば、認証情報変更部６１から通知メールを受けると、受けた通知メールを通信部４１経由で入力メールアドレスが示すメールサーバへ送信する。
【０１２３】
宅内ユーザは、たとえば、宅内端末装置３２または、携帯電話およびスマートフォン等の無線端末装置を操作し、宅内端末装置３２または無線端末装置に上記メールサーバから通知メールを取得させる。宅内ユーザは、たとえば、宅内端末装置３２または無線端末装置により取得された通知メールの内容を参照して仮照合用パスワードを取得する。
【０１２４】
そして、宅内ユーザは、たとえば、ログインＵＲＬを用いて図２に示すログインページを宅内端末装置３２に表示させ、ユーザＩＤ入力領域３４Ｃおよびパスワード入力領域３４Ｄに自己のＩＤおよび取得した仮照合用パスワードをそれぞれ入力し、ログインボタン３４Ｅを押す。
【０１２５】
宅内端末装置３２は、認証情報としてユーザ操作に基づく入力情報をゲートウェイ装置１０１へ送信する。具体的には、宅内端末装置３２は、たとえば、ユーザの操作に基づいて、入力情報すなわち仮照合用パスワード（以下、入力仮照合用パスワードとも称する。）を、入力ＩＤおよび編集用ウェブ情報要求とともにゲートウェイ装置１０１へ送信する。
【０１２６】
ゲートウェイ装置１０１における通信制御部４２は、通信部４１経由で宅内端末装置３２から入力ＩＤおよび入力仮照合用パスワードならびに編集用ウェブ情報要求を受信すると、受信した入力ＩＤおよび入力仮照合用パスワードを設定情報変更部４３へ出力する。
【０１２７】
設定情報変更部４３は、仮認証情報を用いて認証処理を行う。具体的には、設定情報変更部４３は、たとえば、宅内端末装置３２から受信した入力情報が仮認証情報と一致する場合、すなわち、入力仮照合用パスワードが仮照合用パスワードと一致する場合、通信設定情報保持部５０における通信設定情報の初期登録または通信設定情報の更新、および照合用パスワードの変更を許可する。
【０１２８】
より詳細には、設定情報変更部４３における認証部４４は、たとえば、通信制御部４２から入力ＩＤおよび入力仮照合用パスワードを受けると、記憶部４９における認証情報保持部５２から、当該入力ＩＤに対応するパスワードすなわち仮照合用パスワードを取得する。
【０１２９】
そして、認証部４４は、たとえば、取得した仮照合用パスワードと入力仮照合用パスワードとを照合し、照合結果が一致を示す場合、認証に成功したと判断して認証成功を許可部４５へ通知し、また、照合結果が一致を示さない場合、認証に失敗したと判断して認証失敗を許可部４５へ通知する。
【０１３０】
許可部４５は、たとえば、認証部４４から認証成功の通知を受けると、通信設定情報の初期登録および更新ならびに照合用パスワードの変更を許可し、許可情報を通信制御部４２へ出力する。また、許可部４５は、たとえば、認証部４４から認証失敗の通知を受けると、通信設定情報の初期登録および更新ならびに照合用パスワードの変更を許可せず、不許可情報を通信制御部４２へ出力する。
【０１３１】
このように、認証処理に用いる照合用パスワードを、通信設定情報保持部５０に保持されている通信設定情報を変更することなく仮照合用パスワードに変更する構成により、宅内ユーザは、正しいパスワードを覚えていない場合においても、仮照合用パスワードを用いて認証処理を成功させることができるので、ゲートウェイ装置１０１が保持する通信設定情報の初期登録および更新ならびに照合用パスワードの変更を行うことができる。
【０１３２】
なお、認証情報変更処理部４８では、所定時間Ｔｂ、ＩＮＩＴボタン６３が継続して押されている場合に認証情報変更処理を開始する構成であるとしたが、これに限定するものではない。認証情報変更処理部４８では、たとえば、操作部としてのＩＮＩＴボタン６３およびＡＣアダプタ差し込み口５７に対して所定の操作が行われた場合に認証情報変更処理を開始する構成であってもよい。
【０１３３】
より詳細には、認証情報変更処理部４８における認証情報変更部６１は、たとえば、宅内ユーザが、第１端７２Ａがコンセント７１に接続されたＡＣアダプタ７２の第２端７２ＢをＡＣアダプタ差し込み口５７に差し込むことにより、ゲートウェイ装置１０１に直流電力が供給されて自己の動作が開始すると、以下の処理を行う。
【０１３４】
すなわち、認証情報変更部６１は、たとえば、ランプ６２を点灯し、所定時間Ｔａ後に満了するようにタイマー６４をセットするとともに、ＩＮＩＴボタン６３の状態を監視する。
【０１３５】
認証情報変更部６１は、たとえば、タイマー６４が満了するまでＩＮＩＴボタン６３が継続して押されている場合、ゲートウェイ装置１０１の動作モードを通常モードからパスワード生成モードに変更するとともにランプ６２を消灯し、その後ランプ６２を点滅させる。
【０１３６】
言い換えると、認証情報変更部６１は、たとえば、宅内ユーザが、ＩＮＩＴボタン６３を押しながら、第１端７２Ａがコンセント７１に接続されたＡＣアダプタ７２の第２端７２ＢをＡＣアダプタ差し込み口５７に差し込んだ後、ランプ６２が点灯してから所定時間Ｔａ後に消灯するまでＩＮＩＴボタン６３を継続して押す場合に認証情報変更処理を開始する。
【０１３７】
なお、上記の場合において、宅内ユーザが、第１端７２Ａがコンセント７１に接続されたＡＣアダプタ７２の第２端７２ＢをＡＣアダプタ差し込み口５７に差し込む代わりに、第２端７２ＢがＡＣアダプタ差し込み口５７に接続されたＡＣアダプタ７２の第１端７２Ａをコンセント７１に差し込むことを認証情報変更処理の開始条件としてもよい。
【０１３８】
また、認証情報変更処理部４８は、ＩＮＩＴボタン６３に対して所定の操作が行われた場合に認証情報変更処理を開始する構成に限らず、ＩＮＩＴボタン６３以外のボタン、スイッチおよびタッチパネル等のユーザの操作を受け付け可能な部品に対して所定の操作が行われた場合に認証情報変更処理を開始する構成であればよい。
【０１３９】
［変形例１］
本発明の実施の形態に係るゲートウェイ装置では、認証情報変更部６１は、認証情報変更処理において、仮照合用パスワードを特定の装置へ送信する構成であるとしたが、これに限定するものではない。認証情報変更部６１は、認証情報変更処理において照合用パスワードを消去する構成であってもよい。
【０１４０】
より詳細には、認証情報変更部６１は、たとえば、認証情報変更処理を開始すると、ゲートウェイ装置１０１の動作モードを通常モードからパスワード消去モードに変更する。
【０１４１】
認証情報変更部６１は、たとえば、動作モードをパスワード消去モードに変更すると、パスワード消去期間において、ランプ６２を点滅させる。ここで、パスワード消去期間は、上述のパスワード生成期間と同様である。
【０１４２】
認証情報変更部６１は、たとえば、パスワード消去ウェブ情報を保持しており、パスワード消去期間において、宅内ユーザがパスワード消去ウェブ情報にアクセス可能となるようにウェブ情報保持部５１にパスワード消去ウェブ情報の一時的な保存を行う。
【０１４３】
ここで、パスワード消去ウェブ情報は、たとえば、パスワードの消去を開始するためのパスワード消去ボタンを含むパスワード消去ページを表示するためのウェブ情報である。たとえば、パスワード消去ウェブ情報のＵＲＬは、パスワード送信ウェブ情報のＵＲＬと同様である。
【０１４４】
たとえば、宅内ユーザは、ゲートウェイ装置１０１におけるランプ６２が点滅していることを視認すると、ゲートウェイ装置１０１がパスワード消去モードに遷移したこと認識し、ウェブブラウザ３４におけるアドレス入力領域３４Ａにパスワード消去ＵＲＬを入力する。
【０１４５】
宅内端末装置３２は、入力されたパスワード消去ＵＲＬに基づいて、ゲートウェイ装置１０１にパスワード消去ウェブ情報を要求する旨のパスワード消去ウェブ情報要求を送信し、ゲートウェイ装置１０１からパスワード消去ウェブ情報を受信すると、パスワード消去ページをページ領域３４Ｂに表示する。
【０１４６】
宅内ユーザは、たとえば、パスワード消去ページを参照し、操作部３２Ｂを操作してパスワード消去ボタンを押す。宅内端末装置３２は、宅内ユーザの操作に基づいて、パスワード消去命令および編集用ウェブ情報要求をゲートウェイ装置１０１へ送信する。
【０１４７】
ゲートウェイ装置１０１における通信制御部４２は、たとえば、通信部４１経由で宅内端末装置３２からパスワード消去命令および編集用ウェブ情報要求を受信すると、パスワード消去命令を認証情報変更部６１へ出力する。
【０１４８】
認証情報変更部６１は、たとえば、通信制御部４２からパスワード消去命令を受けると、認証情報保持部５２における照合用パスワードを消去し、パスワード消去完了通知を通信制御部４２へ通知する。
【０１４９】
通信制御部４２は、たとえば、認証情報変更部６１からパスワード消去完了通知を受けると、上述の編集用ウェブ情報に含まれる機能のうち、照合用パスワードの変更機能以外の機能を制限した編集用ウェブ情報を通信部４１経由で宅内端末装置３２へ送信する。
【０１５０】
宅内端末装置３２は、ゲートウェイ装置１０１から編集用ウェブ情報を受信すると、受信した編集用ウェブ情報に基づいて、ログイン成功表示機能、ならびに通信設定情報の新規登録機能および更新機能が制限された編集ページをページ領域３４Ｂに表示する。これにより、照合用パスワードを変更、具体的には、前の照合用パスワードを消去して新たな照合用パスワードを設定することができるので、宅内ユーザは、新たな照合用パスワードを用いて通信設定情報を変更することが可能となる。
【０１５１】
［変形例２］
本発明の実施の形態に係るゲートウェイ装置１０１は、パスワード送信ウェブ情報のＵＲＬを所定のＵＲＬに設定する構成であるとしたが、これに限定するものではない。ゲートウェイ装置１０１は、パスワード送信ウェブ情報のＵＲＬをランダムに設定する構成であってもよい。
【０１５２】
より詳細には、認証情報変更処理部４８における認証情報変更部６１は、たとえば、認証情報変更処理を開始すると、ゲートウェイ装置１０１の動作モードを通常モードからパスワード生成モードに変更する。
【０１５３】
認証情報変更部６１は、たとえば、動作モードをパスワード生成モードに変更すると、パスワード生成期間において、ランプ６２を点滅させるとともに、パスワード送信ウェブ情報のＵＲＬをランダムに生成する。以下、ランダムに生成されたパスワード送信ウェブ情報のＵＲＬをランダムＵＲＬとも称する。
【０１５４】
そして、認証情報変更部６１は、たとえば、生成したランダムＵＲＬを含み、かつ宛先が上述の登録メールアドレスであるメール（以下、ＵＲＬ通知メールとも称する。）を作成し、作成したＵＲＬ通知メールを通信制御部４２および通信部４１経由で登録メールアドレスが示すメールサーバへ送信する。
【０１５５】
宅内ユーザは、たとえば、宅内端末装置３２または無線端末装置を操作し、宅内端末装置３２または無線端末装置に上記メールサーバからＵＲＬ通知メールを取得させる。宅内ユーザは、たとえば、宅内端末装置３２または無線端末装置により取得されたＵＲＬ通知メールの内容を参照し、ランダムＵＲＬを取得する。
【０１５６】
宅内ユーザは、取得したランダムＵＲＬをウェブブラウザ３４におけるアドレス入力領域３４Ａに入力する。
【０１５７】
宅内端末装置３２は、入力されたランダムＵＲＬに基づいて、ゲートウェイ装置１０１にパスワード送信ウェブ情報要求を送信し、ゲートウェイ装置１０１からパスワード送信ウェブ情報を受信すると、パスワード送信ページをページ領域３４Ｂに表示する。
【０１５８】
［動作］
図７は、本発明の実施の形態に係る情報変更制御システムにおいて、通信設定情報を変更することなく認証情報の変更が行われる際のシーケンスの一例を示す図である。情報変更制御システム１５１におけるゲートウェイ装置１０１および宅内端末装置３２の各々は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１５９】
図７を参照して、まず、ゲートウェイ装置１０１は、宅内端末装置３２によって初期登録または更新された通信設定情報を通信設定情報保持部５０に保持する（ステップＳ１０２）。
【０１６０】
次に、宅内ユーザは、任意のタイミングにおいて通信設定情報の更新または照合用パスワードの変更を行おうとするが、自己のＩＤに対応する正しいパスワードを覚えていないため、ゲートウェイ装置１０１をパスワード生成モードに遷移させるためにＩＮＩＴボタン６３を所定時間Ｔｂ継続して押す。すなわち、ゲートウェイ装置１０１では、ＩＮＩＴボタン６３が所定時間Ｔｂ継続して押される（ステップＳ１０４）。
【０１６１】
次に、ゲートウェイ装置１０１は、ＩＮＩＴボタン６３が所定時間Ｔｂ継続して押されていることにより、動作モードを通常モードからパスワード生成モードに設定する（ステップＳ１０６）。これにより、パスワード生成期間が開始される。
【０１６２】
次に、ゲートウェイ装置１０１は、パスワード生成期間が終了するまでランプ６２を点滅させる（ステップＳ１０８）。
【０１６３】
次に、宅内端末装置３２では、パスワード生成モードに遷移したことを認識した宅内ユーザによりパスワード送信ＵＲＬが入力される（ステップＳ１１０）。
【０１６４】
次に、宅内端末装置３２は、入力されたパスワード送信ＵＲＬに基づいて、ゲートウェイ装置１０１にパスワード送信ウェブ情報要求ＰｗＷｉＲｅｑを送信する（ステップＳ１１２）。
【０１６５】
次に、ゲートウェイ装置１０１は、宅内端末装置３２からパスワード送信ウェブ情報要求ＰｗＷｉＲｅｑを受信すると、受信したパスワード送信ウェブ情報要求ＰｗＷｉＲｅｑに基づいて、ウェブ情報保持部５１からパスワード送信ウェブ情報ＰｗＷｉを取得し、取得したパスワード送信ウェブ情報ＰｗＷｉを宅内端末装置３２へ送信する（ステップＳ１１４）。
【０１６６】
次に、宅内端末装置３２は、ゲートウェイ装置１０１から受信したパスワード送信ウェブ情報ＰｗＷｉに基づいて、図６に示すパスワード送信ページをウェブブラウザ３４に表示する（ステップＳ１１６）。
【０１６７】
宅内端末装置３２では、図６に示すパスワード送信ページの表示に基づいて、宅内ユーザにより、メールアドレスがメールアドレス入力領域３４Ｆに入力された後、パスワード送信ボタン３４Ｇが押される（ステップＳ１１８）。
【０１６８】
次に、宅内端末装置３２は、宅内ユーザにより入力された入力メールアドレスをゲートウェイ装置１０１へ送信する（ステップＳ１２０）。
【０１６９】
次に、ゲートウェイ装置１０１は、宅内端末装置３２から入力メールアドレスを受信すると、仮認証情報として仮照合用パスワードをランダムに生成し、生成した仮照合用パスワードを、対応の照合用パスワードに代えて認証情報保持部５２に保存する（ステップＳ１２２）。
【０１７０】
次に、ゲートウェイ装置１０１は、生成した仮照合用パスワードを含み、かつ宛先が入力メールアドレスである通知メールを作成する（ステップＳ１２４）。
【０１７１】
次に、ゲートウェイ装置１０１は、入力メールアドレスが示す特定の装置、すなわちメールサーバへ作成した通知メールを送信する（ステップＳ１２６）。
【０１７２】
次に、ゲートウェイ装置１０１は、動作モードをパスワード生成モードから通常モードに戻す（ステップＳ１２８）。これにより、パスワード生成期間が終了する。
【０１７３】
また、ゲートウェイ装置１０１は、パスワード生成期間が終了したのでランプ６２の点滅を停止する（ステップＳ１３０）。
【０１７４】
次に、宅内端末装置３２は、たとえば宅内ユーザによる操作によってメールサーバから通知メールを受信する（ステップＳ１３２）。宅内ユーザは、宅内端末装置３２が受信した通知メールの内容を参照して仮照合用パスワードを取得する。
【０１７５】
次に、宅内端末装置３２では、宅内ユーザによりログインＵＲＬが入力される（ステップＳ１３４）。
【０１７６】
次に、宅内端末装置３２は、入力されたログインＵＲＬに基づいて、ゲートウェイ装置１０１にログインウェブ情報要求ＬｉＷｉＲｅｑを送信する（ステップＳ１３６）。
【０１７７】
次に、ゲートウェイ装置１０１は、宅内端末装置３２からログインウェブ情報要求ＬｉＷｉＲｅｑを受信すると、受信したログインウェブ情報要求ＬｉＷｉＲｅｑに基づいて、ウェブ情報保持部５１からログインウェブ情報ＬｉＷｉを取得し、取得したログインウェブ情報ＬｉＷｉを宅内端末装置３２へ送信する（ステップＳ１３８）。
【０１７８】
次に、宅内端末装置３２は、ゲートウェイ装置１０１から受信したログインウェブ情報ＬｉＷｉに基づいて、図２に示すログインページをウェブブラウザ３４に表示する（ステップＳ１４０）。
【０１７９】
宅内端末装置３２では、図２に示すログインページの表示に基づいて、宅内ユーザにより、ＩＤおよび仮照合用パスワードがユーザＩＤ入力領域３４Ｃおよびパスワード入力領域３４Ｄにそれぞれ入力された後、ログインボタン３４Ｅが押される（ステップＳ１４２）。
【０１８０】
次に、宅内端末装置３２は、宅内ユーザにより入力された入力ＩＤおよび入力仮照合用パスワード、ならびに編集用ウェブ情報要求ＥｄＷｉＲｅｑをゲートウェイ装置１０１へ送信する（ステップＳ１４４）。
【０１８１】
次に、ゲートウェイ装置１０１は、宅内端末装置３２から入力ＩＤおよび入力仮照合用パスワード、ならびに編集用ウェブ情報要求ＥｄＷｉＲｅｑを受信すると、当該入力ＩＤに対応する仮照合用パスワードを認証情報保持部５２から取得する（ステップＳ１４６）。
【０１８２】
次に、ゲートウェイ装置１０１は、取得した仮照合用パスワードと入力仮照合用パスワードとを用いて認証処理を行う（ステップＳ１４８）。
【０１８３】
次に、ゲートウェイ装置１０１は、認証処理が成功したことにより、通信設定情報の更新ならびに照合用パスワードの変更を許可する（ステップＳ１５０）。
【０１８４】
次に、ゲートウェイ装置１０１は、編集用ウェブ情報要求ＥｄＷｉＲｅｑに基づいて、ウェブ情報保持部５１から編集用ウェブ情報ＥｄＷｉを取得し、取得した編集用ウェブ情報ＥｄＷｉを宅内端末装置３２へ送信する（ステップＳ１５２）。
【０１８５】
次に、宅内端末装置３２は、ゲートウェイ装置１０１から受信した編集用ウェブ情報ＥｄＷｉに基づいて、編集ページをウェブブラウザ３４に表示する（ステップＳ１５４）。
【０１８６】
なお、本発明の実施の形態に係るゲートウェイ装置は、宅外端末装置２２および宅内装置３３と通信するための通信設定情報を保持する構成であるとしたが、これに限定するものではない。ゲートウェイ装置１０１は、宅外端末装置２２および宅内装置３３のいずれか一方と通信するための通信設定情報を保持する構成であってもよい。また、ゲートウェイ装置１０１は、宅内端末装置３２と通信するための通信設定情報を保持する構成であってもよい。
【０１８７】
また、本発明の実施の形態に係るゲートウェイ装置は、通信設定情報の初期登録および更新を行う構成であるとしたが、これに限定するものではない。ゲートウェイ装置１０１は、通信設定情報の初期登録および更新のいずれか一方を行う構成であってもよい。
【０１８８】
また、本発明の実施の形態に係るゲートウェイ装置は、仮認証情報をメールサーバへ送信する構成であるとしたが、これに限定するものではない。ゲートウェイ装置１０１は、メールサーバ以外の宅内端末装置３２等の装置へ仮認証情報を送信する構成であってもよい。
【０１８９】
また、本発明の実施の形態に係るゲートウェイ装置は、宛先情報を他の装置から受信し、受信した宛先情報を用いて特定の装置へ仮認証情報を送信する構成であるとしたが、これに限定するものではない。ゲートウェイ装置１０１は、特定の装置の宛先情報を予め保持し、保持している宛先情報を用いて仮認証情報を当該特定の装置へ送信する構成であってもよい。
【０１９０】
ところで、パスワード等の認証情報を用いて認証処理を行うゲートウェイ装置において、たとえば、ユーザがパスワードを忘れた場合、ゲートウェイ装置をリセットすることによりパスワードを初期のパスワードに戻す方法が考えられる。この場合、ゲートウェイ装置において、パスワード以外の設定も初期化されてしまう可能性が高い。パスワード以外の設定が初期化されてしまうと、ユーザは、パスワード以外の設定をリセット前の設定に戻すための操作を行わなければならない。
【０１９１】
これに対して、本発明の実施の形態に係るゲートウェイ装置では、通信設定情報保持部５０は、宅外端末装置２２および宅内装置３３と通信するための通信設定情報を保持する。設定情報変更部４３は、照合用パスワードを用いて認証処理を行い、認証処理の結果に基づいて、通信設定情報保持部５０における通信設定情報の初期登録または通信設定情報保持部５０における設定情報の更新を許可する。そして、認証情報変更部６１は、認証処理に用いる照合用パスワードを、保持されている通信設定情報を変更することなく変更する認証情報変更処理を行う。
【０１９２】
このような構成により、通信設定情報を変更せずに照合用パスワードを既知の内容に変更することができるので、通信設定情報を保護しながら照合用パスワードを変更することができる。これにより、宅内ユーザは、照合用パスワードを忘れた場合においてもリセット処理等を行うことなく、変更した既知の照合用パスワードを用いて認証処理を成功させることができる。
【０１９３】
また、本発明の実施の形態に係るゲートウェイ装置では、ＩＮＩＴボタン６３は、宅内ユーザの操作を受け付ける。そして、認証情報変更部６１は、ＩＮＩＴボタン６３に対して所定の操作が行われた場合、具体的には、ＩＮＩＴボタン６３が宅内ユーザにより所定時間Ｔｂ継続して押された場合に認証情報変更処理を開始する。
【０１９４】
このような構成により、認証情報変更処理を開始させることが可能なユーザをゲートウェイ装置１０１の近傍に存在するユーザに限定することができる。したがって、たとえば、ゲートウェイ装置１０１が宅内に設置されている場合、認証情報変更処理を開始させることが可能なユーザを宅内に存在する宅内ユーザに限定することができるので、宅外のユーザによる認証情報変更処理の開始を防止することができる。これにより、ゲートウェイ装置１０１のセキュリティーをハードウェア面から向上させることができる。
【０１９５】
また、本発明の実施の形態に係るゲートウェイ装置では、認証情報変更部６１は、認証情報変更処理において、仮照合用パスワードをメールサーバへ送信する。そして、設定情報変更部４３は、仮照合用パスワードを用いて認証処理を行う。
【０１９６】
このような構成により、仮照合用パスワードを取得可能なユーザを、メールサーバから仮照合用パスワードを取得することが可能な特定のユーザに限定することができるので、当該特定のユーザ以外のユーザが認証処理を成功させることを防止することができる。これにより、ゲートウェイ装置１０１のセキュリティーをソフトウェア面から向上させることができる。
【０１９７】
また、本発明の実施の形態に係るゲートウェイ装置では、認証情報変更部６１は、認証情報変更処理において、メールサーバの宛先情報を宅内端末装置３２から取得し、取得した宛先情報を用いて仮照合用パスワードを送信する。
【０１９８】
このような構成により、取得した宛先情報に基づいて、宛先情報を有するメールサーバへ仮照合用パスワードを確実に送信することができる。また、たとえば、宅内端末装置３２を用いる宅内ユーザが宛先情報を設定し、設定した宛先情報を宅内端末装置３２からゲートウェイ装置１０１へ送信可能な場合、当該宅内ユーザにおいて仮照合用パスワードの送信先を主導的に設定することができる。
【０１９９】
また、本発明の実施の形態に係る通信システムでは、ゲートウェイ装置１０１は、仮照合用パスワードをメールサーバへ送信する。宅内端末装置３２は、認証情報としてユーザ操作に基づく入力情報をゲートウェイ装置１０１へ送信する。ゲートウェイ装置１０１は、宅内端末装置３２から受信した入力情報が仮照合用パスワードと一致する場合、通信設定情報の初期登録または更新を許可する。
【０２００】
このような構成により、仮照合用パスワードをメールサーバから取得した宅内ユーザは、取得した仮照合用パスワードを用いて通信設定情報の初期登録または更新の許可を受けることができるので、仮照合用パスワードへの変更に対して通信設定情報を保護することができる。
【０２０１】
また、仮照合用パスワードを取得可能なユーザを、メールサーバから仮照合用パスワードを取得することが可能な特定のユーザに限定することができるので、当該特定のユーザ以外のユーザが認証処理を成功させることを防止することができる。これにより、ゲートウェイ装置１０１のセキュリティーをソフトウェア面から向上させることができる。
【０２０２】
また、本発明の実施の形態に係る通信システムでは、ゲートウェイ装置１０１は、メールサーバの宛先情報を宅内端末装置３２から取得する。そして、ゲートウェイ装置１０１は、取得した宛先情報を用いて仮照合用パスワードをメールサーバへ送信する。
【０２０３】
このような構成により、取得した宛先情報に基づいて、宛先情報を有するメールサーバへ仮照合用パスワードを確実に送信することができる。また、たとえば、宅内端末装置３２を用いる宅内ユーザが宛先情報を設定し、設定した宛先情報を宅内端末装置３２からゲートウェイ装置１０１へ送信可能な場合、当該宅内ユーザにおいて仮照合用パスワードの送信先を主導的に設定することができる。
【０２０４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２０５】
以上の説明は、以下に付記する特徴を含む。
【０２０６】
［付記１］
他の装置と通信するための設定情報を保持する保持部と、
認証情報を用いて認証処理を行い、前記認証処理の結果に基づいて、前記保持部における前記設定情報の初期登録または前記保持部における前記設定情報の更新を許可する設定情報変更部と、
前記認証処理に用いる前記認証情報を、保持されている前記設定情報を変更することなく変更する認証情報変更処理を行う認証情報変更部とを備え、
前記設定情報は、センサ、駆動装置および宅外端末装置と通信するための情報であり、
前記認証処理では、パスワードの照合に基づく認証が行われる、ゲートウェイ装置。
【符号の説明】
【０２０７】
２１  外部ネットワーク
２２  宅外端末装置
３１  宅内ネットワーク
３２  宅内端末装置
３２Ａ  表示部
３２Ｂ  操作部
３３  宅内装置
４１  通信部
４２  通信制御部
４３  設定情報変更部
４４  認証部
４５  許可部
４６  書き込み部
４８  認証情報変更処理部
４９  記憶部
５０  通信設定情報保持部
５１  ウェブ情報保持部
５２  認証情報保持部
５３  メールアドレス保持部
５４  外部ネットワークポート
５５  宅内ネットワークポート
５７  ＡＣアダプタ差し込み口（操作部）
６１  認証情報変更部
６２  ランプ
６３  ＩＮＩＴボタン（操作部）
６４  タイマー
７１  コンセント
７２  ＡＣアダプタ
１０１  ゲートウェイ装置
１５１  情報変更制御システム
２０１  通信システム
【図１】
2016095740.tif 000003
【図２】
2016095740.tif 000004
【図３】
2016095740.tif 000005
【図４】
2016095740.tif 000006
【図５】
2016095740.tif 000007
【図６】
2016095740.tif 000008
【図７】
2016095740.tif 000009